(57)【特許請求の範囲】
【請求項１】
扉体と、
前記扉体に設けられ、一端から他端まで貫通し、中心軸が鉛直方向に対して傾斜した貫通孔が形成された支持部と、
前記支持部の前記貫通孔に挿通される本体、および、該本体に設けられ遊技者の操作を受け付ける操作部を有し、該操作部を該貫通孔の一端から突出させて該支持部に支持される演出操作ユニットと、
前記扉体に設けられ、互いに向きを異ならせた第１固定面および第２固定面を有し、前記本体が前記第１固定面および前記第２固定面に接触した状態で固定手段を介して固定される固定板金と、
を備え、
前記固定手段は、前記扉体の底面側および背面側のいずれか一方または双方から着脱が可能であることを特徴とする遊技機。
【発明の詳細な説明】
【技術分野】
【０００１】
本発明は、演出操作ユニットを備えた遊技機に関する。
【背景技術】
【０００２】
従来、遊技者が操作する演出操作ユニットを扉体に固定する固定構造として、演出操作ユニットの軸部と扉体の上皿ユニットとを直接、固定する構造が開示されている（例えば、特許文献１）。特許文献１では、演出操作ユニットに設けられた軸部が、上皿ユニットに設けられた支持部材の挿通孔に挿通される。そして、挿通孔の底部に形成された貫通孔を介して、演出操作ユニットに設けられた軸部と上皿ユニットとが固定される。その結果、挿通孔の底部に貫通孔を形成することで、演出操作ユニットの取り付け作業や取り外し作業が容易となる。
【先行技術文献】
【特許文献】
【０００３】
【特許文献１】特開２０１４−４２６１０号公報
【発明の概要】
【発明が解決しようとする課題】
【０００４】
上記の固定構造では、演出操作ユニットの交換作業が容易であるものの、遊技者による演出操作ユニットを操作する外力が、扉体に直接作用するので、長期の使用により扉体が破損・損傷し、扉体等を広範囲に亘って修理または交換しなければならないおそれがある。
【０００５】
本発明の目的は、演出操作ユニットの交換作業を容易にしつつも、扉体等の広範囲に亘る破損・損傷を防ぐことができる遊技機を提供することである。
【課題を解決するための手段】
【０００６】
上記課題を解決するために、本発明の遊技機は、扉体と、前記扉体に設けられ、一端から他端まで貫通し、中心軸が鉛直方向に対して傾斜した貫通孔が形成された支持部と、前記支持部の前記貫通孔に挿通される本体、および、該本体に設けられ遊技者の操作を受け付ける操作部を有し、該操作部を該貫通孔の一端から突出させて該支持部に支持される演出操作ユニットと、前記扉体に設けられ、互いに向きを異ならせた第１固定面および第２固定面を有し、前記本体が前記第１固定面および前記第２固定面に接触した状態で固定手段を介して固定される固定板金と、を備え、前記固定手段は、前記扉体の底面側および背面側のいずれか一方または双方から着脱が可能であることを特徴とする。
【発明の効果】
【００１０】
本発明によれば、演出操作ユニットの交換作業を容易にしつつも、扉体等の広範囲に亘る破損・損傷を防ぐことができる。
【図面の簡単な説明】
【００１１】
【図１】遊技機を説明するための斜視図である。
【図２】扉体を説明するための斜視図である。
【図３】演出操作ユニットを説明するための断面図である。
【図４】ボタンユニットの動作を説明する図である。
【図５】ガイド部材を説明する図である。
【図６】固定板金の位置と形状を説明する図である。
【図７】演出操作ユニットおよび扉体の固定構造を説明する図である。
【図８】扉体の底面を示す下面図である。
【図９】扉体の背面を示す背面図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は本実施形態の遊技機１を説明するための斜視図であり、扉が解放された状態を示している。図示のように、遊技機１は、略矩形上に組まれた四辺によって囲繞空間が形成される外枠２と、この外枠２にヒンジ機構によって開閉自在に取り付けられた中枠４と、この中枠４にヒンジ機構によって開閉自在に取り付けられた扉体６と、を備えている。
【００１４】
中枠４は、外枠２と同様に、略矩形上に組まれた四辺によって囲繞空間が形成されており、この囲繞空間に遊技盤８が保持されている。また、扉体６には、ユニット化されたガラス製または樹脂製の透過板１０が保持されている。そして、これら中枠４および扉体６を外枠２に対して閉じると、遊技盤８と透過板１０とが所定の間隔を維持して略平行に対面するとともに、遊技機１の正面側から透過板１０を介して、遊技盤８が視認可能となる。
【００１５】
詳しい説明は省略するが、遊技盤８の前面には、不図示の釘や風車、ガイドレールが設けられており、遊技盤８、透過板１０、ガイドレールによって囲繞される遊技領域を、遊技球が不規則に転動、流下する。また、遊技盤８の前面には、複数の入賞口が設けられており、これらの入賞口に遊技球が入球すると、扉体６の前面に設けられた上皿１０２（図２参照）に、賞球として遊技球が払い出されることとなる。
【００１６】
図２は、扉体６を説明するための斜視図であり、図２（ａ）は、演出操作ユニット２００が扉体６に取り付けられた状態を示し、図２（ｂ）は、演出操作ユニット２００が扉体６から取り外された状態を示している。扉体６の前面であって、透過板１０の下方には、受皿ユニット１００が設けられている。この受皿ユニット１００は、遊技球が貯留される上皿１０２（受皿）および下皿１０４（受皿）（図６（ａ）参照）が設けられており、上皿１０２と下皿１０４との間には、貫通孔１０６ａが形成された支持部１０６が設けられている。この貫通孔１０６ａは、遊技機１の幅方向（図中Ｘ軸方向）の略中央に設けられており、上端が下端よりも、扉体６に正対する遊技者側（図中Ｙ軸方向）に位置するように傾斜している。
【００１７】
そして、この貫通孔１０６ａには、図２（ａ）に示すように、遊技者の操作を受け付ける演出操作ユニット２００が設けられている。遊技機１においては、遊技の進行中に、演出操作ユニット２００の操作を有効に受け付ける操作有効時間が設定されることがあり、この操作有効時間内に、演出操作ユニット２００が遊技者の操作を受け付けると、当該操作に応じてさまざまな演出が実行される。
【００１８】
図３は、演出操作ユニット２００を説明するための断面図であり、図３（ａ）は、図２（ａ）のＩＩＩ（ａ）−ＩＩＩ（ａ）線断面図を示し、図３（ｂ）は、図２（ｂ）のＩＩＩ（ｂ）−ＩＩＩ（ｂ）線断面図を示している。演出操作ユニット２００は、本体部２１０、把持部２２０（操作部）、固定部２３０、ボタンユニット２５０（操作部）を含んで構成されている。本体部２１０は、一端に開口部２１０ａが形成された収容孔を内部に有する円筒形状の部材であり、開口部２１０ａが形成される一端側に、把持部２２０が一体に形成され、他端側が固定部２３０に回転自在に連結されている。具体的には、固定部２３０は、一端に開口２３０ａを有し、他端に底面部２３０ｂを有する有底円筒形状の部材で構成され、底面部２３０ｂが受皿ユニット１００にねじ止めにより固定される。
【００１９】
固定部２３０の開口２３０ａには、本体部２１０のうち、開口部２１０ａが形成される側とは反対側の端部が挿入されている。本体部２１０の端部外周には、環状の係合溝２１０ｂが形成されており、この係合溝２１０ｂに、固定部２３０の開口２３０ａの周縁が相対回転自在に係合している。これにより、本体部２１０は、固定部２３０に対して、軸方向の移動が規制された状態（抜け止め）で、相対回転自在に連結されることとなる。
【００２０】
把持部２２０は、図２および図３に示すように、自動車のハンドルを模した装飾が施された円環状の部材で構成されている。この把持部２２０は、本体部２１０の外周よりも径が大きく、把持部２２０の内周面と本体部２１０の外周面との間には間隙が形成されている。本体部２１０には、その外周面から径方向に延在する延在部２１２が複数（本実施形態では３つ。図５参照）設けられており、この延在部２１２を介して、本体部２１０と把持部２２０とが一体的に連続した構成となる。したがって、遊技者が把持部２２０を把持するとともに、周方向に把持部２２０を回転させると、把持部２２０と本体部２１０とが一体となって、固定部２３０すなわち扉体６（受皿ユニット１００）に対して相対回転することとなる。
【００２１】
ボタンユニット２５０は、図３（ｂ）において破線で示すように、可動装置２５２と、可動ボタン２５４と、ボタンカバー２５６とを含んで構成され、本体部２１０内の収容孔に収容されている。詳細な説明は省略するが、可動装置２５２は、モータなどのアクチュエータと、アクチュエータの回転動力を受けて本体部２１０の軸方向に往復動する伝達部材と、を備えており、可動ボタン２５４を、本体部２１０の開口部２１０ａから突出させたり、開口部２１０ａ内に収容したりする。
【００２２】
具体的には、可動ボタン２５４は、曲面状の押圧面２５４ａで一端が閉じられ、他端に開口を有する有底円筒形状であり、開口側に可動装置２５２の伝達部材が設けられている。通常、可動ボタン２５４は、押圧面２５４ａが本体部２１０の開口部２１０ａと大凡面一となる収容位置に静止している。そして、アクチュエータの動力を受けて伝達部材が本体部２１０の軸方向に作動すると、可動ボタン２５４が本体部２１０の開口部２１０ａから突出した突出位置まで可動したり、あるいは、突出位置から収容位置まで復帰したりする。このように、可動ボタン２５４は、可動装置２５２によって、収容位置と突出位置との間を直進動作することとなる。
【００２３】
ボタンカバー２５６は、曲面状の被覆面２５６ａで一端が閉じられ、他端に開口を有する有底円筒形状であり、上記の可動ボタン２５４の側面および押圧面２５４ａを覆う形状となっている。ボタンカバー２５６の被覆面２５６ａは、可動ボタン２５４の押圧面２５４ａと曲率が大凡等しく、両面が面接触する関係となっており、また、ボタンカバー２５６の側面と可動ボタン２５４の側面との間には、僅かな間隙が形成されている。そして、ボタンカバー２５６の開口側の縁には、径方向外方に屈曲した突起部２５６ｂが形成されている。
【００２４】
なお、ボタンカバー２５６は、遊技者の押下操作によってもたらされる押圧力が、可動ボタン２５４および可動装置２５２に直接作用しないように、可動ボタン２５４と別部材で構成されており、可動ボタン２５４が収容位置から突出位置へ作動する際には、可動ボタン２５４に押圧されて、可動ボタン２５４と一体となって移動する。また、可動ボタン２５４およびボタンカバー２５６が突出位置に突出した状態で、遊技者が被覆面２５６ａを押圧すると、遊技者の押圧力によって、可動ボタン２５４およびボタンカバー２５６が一体となって突出位置から収容位置へ復帰する。このとき、固定部２３０内には、スプリングからなるダンパ機構が設けられており、可動ボタン２５４および可動装置２５２に作用する衝撃がダンパ機構によって吸収され、演出操作ユニット２００の損傷を防止するようにしている。
【００２５】
一方、可動ボタン２５４が突出位置へ突出した後、遊技者が演出操作ユニット２００に対して何らの操作も行わずに所定時間が経過すると、可動ボタン２５４を収容位置に復帰させるように可動装置２５２が駆動される。その結果、可動ボタン２５４は、アクチュエータの動力によって収容位置に復帰することとなる。このとき、ボタンカバー２５６は、可動ボタン２５４と連結されていないため、アクチュエータの動力がボタンカバー２５６に伝達されることはない。その結果、ボタンカバー２５６は、突出位置から収容位置までの収容方向の移動が自重によりなされることになる。以下に、可動装置２５２の駆動によって、可動ボタン２５４が収容位置に復帰する場合の動作について、図４を用いて詳述する。
【００２６】
図４は、ボタンユニット２５０の動作を説明する図である。図４（ａ）に示すように、突出位置においては、可動ボタン２５４およびボタンカバー２５６が、本体部２１０から突出した状態となっている。この状態で、遊技者が演出操作ユニット２００に対して何らの操作も行わずに所定時間が経過すると、可動ボタン２５４を収容位置に復帰させるように可動装置２５２が駆動される。このとき、上記したように、可動ボタン２５４とボタンカバー２５６とは連結されていないため、ボタンカバー２５６は、その自重により、可動ボタン２５４に追従するように収容位置まで移動して、図４（ｂ）に示す状態となる。
【００２７】
ところが、図３（ｂ）に示したように、演出操作ユニット２００は、本体部２１０が貫通孔１０６ａに挿通されるとともに、把持部２２０を貫通孔１０６ａの一端（上端）から突出させた状態で、支持部１０６に支持されている。このとき、貫通孔１０６ａは、上端が下端よりも、扉体６に正対する遊技者側（Ｙ軸方向）に位置するように傾斜しており、演出操作ユニット２００（本体部２１０）は、鉛直方向および水平方向に対して、図４に示すように傾きを有している。そのため、図４（ｃ）に示すように、ボタンカバー２５６が自重で移動する方向（収容方向）が鉛直方向に対して傾きをもった状態となり、可動ボタン２５４等、他の部材との接触により生じる摩擦抵抗で、ボタンカバー２５６が収容位置まで復帰できなくなってしまうおそれがある。そこで、本実施形態では、ボタンカバー２５６を速やかに、かつ、確実に収容位置に復帰させるべく、ガイド部材２６０が設けられている。
【００２８】
図５は、ガイド部材２６０を説明する図である。図５（ａ）は、演出操作ユニット２００からハンドルカバー２７０を取り外した斜視図であり、図５（ｂ）、（ｃ）はボタンカバー２５６およびガイド部材２６０のみの配置を示した図であり、図５（ｄ）は図５（ｃ）のＶ（ｄ）−Ｖ（ｄ）線断面図である。
【００２９】
図５（ａ）に示すように、演出操作ユニット２００の本体部２１０には、開口部２１０ａ側にハンドルカバー２７０が固定される。このハンドルカバー２７０は、挿通孔２７２ａが形成された円環部２７２と、この円環部２７２から径方向外方に延在し、上記の延在部２１２を被覆する延在面２７４と、この延在面２７４よりもさらに径方向外方に位置し、把持部２２０に固定される取り付け部２７６と、が一体成形されている。また、円環部２７２の背面側には、内部にネジ穴が形成された円柱状の軸部２７８が複数（例えば、５つ）設けられており、このネジ穴にネジを螺合させることにより、ハンドルカバー２７０が本体部２１０に固定される。
【００３０】
ハンドルカバー２７０が本体部２１０に固定された状態では、軸部２７８の軸方向が、本体部２１０およびボタンカバー２５６の軸方向、すなわち、可動ボタン２５４の収容方向および突出方向と平行となる。そして、軸部２７８は、ボタンカバー２５６の径方向外方に位置しており、この軸部２７８に、ガイド部材２６０が保持されている。
【００３１】
図５に示すように、ガイド部材２６０は、ボタンカバー２５６の側面に対向し、軸部２７８の軸方向、すなわち、ボタンカバー２５６の動作方向に長さを有する対向面２６０ａと、この対向面２６０ａの一端から、ボタンカバー２５６の側面側に向けて屈曲する係止部２６０ｂと、軸部２７８が嵌合される嵌合孔２６０ｃと、を有し、嵌合孔２６０ｃが軸部２７８に嵌合した状態でハンドルカバー２７０に固定される。
【００３２】
図５（ｂ）、（ｃ）、（ｄ）は、ボタンカバー２５６、ガイド部材２６０、ハンドルカバー２７０の円環部２７２を水平に配置したときの側面図、上面図、断面図であり、図５（ｂ）、（ｃ）、（ｄ）に示すように、ガイド部材２６０は、ボタンカバー２５６の径方向外方において、周方向に所定の間隔を維持して複数（たとえば、５つ）設けられている。上記したように、ボタンカバー２５６は、鉛直方向および水平方向に対して傾いた姿勢に保持されており、ボタンカバー２５６の中心よりも下方に３つのガイド部材２６０が配され、上方に２つのガイド部材２６０が配されている。なお、図５（ｂ）、（ｄ）からも明らかなように、ボタンカバー２５６の中心の直下に配されるガイド部材２６０は、他のガイド部材２６０に比べ、対向面２６０ａが短い形状であるが、これは不図示の他の部材との干渉を避けるためであり、望ましくは他のガイド部材２６０と同じ形状であるとよい。
【００３３】
また、図５（ｄ）に示すように、ガイド部材２６０の係止部２６０ｂとボタンカバー２５６の側面との間隙は、ハンドルカバー２７０の円環部２７２とボタンカバー２５６の側面との間隙よりも小さい。そして、ボタンカバー２５６は、可動ボタン２５４等、他のいずれの部品にも固定、連結されていない。そのため、通常、５つのガイド部材２６０のうち、ボタンカバー２５６の中心よりも下方に位置する３つのガイド部材２６０に自重が作用している。換言すれば、ガイド部材２６０は、動作方向に延在するボタンカバー２５６の側面から自重を受けている。また、ボタンカバー２５６が収容方向または突出方向に動作する際には、ボタンカバー２５６とガイド部材２６０とが接触、摺動する。具体的には、ボタンカバー２５６の側面と、ガイド部材２６０の係止部２６０ｂとが接触、摺動したり、ボタンカバー２５６の突起部２５６ｂと対向面２６０ａとが接触、摺動したりする。
【００３４】
本実施形態では、ガイド部材２６０の係止部２６０ｂとボタンカバー２５６とが接触する接触部分を、ボタンカバー２５６の側面の曲率と略同一としている。しかも、ガイド部材２６０は、ボタンカバー２５６よりも摩擦係数が小さい材質で構成されている。これにより、ボタンカバー２５６が収容方向や突出方向に動作する際の摩擦抵抗が低減され、ボタンカバー２５６のスムーズな作動が確保される。特に、ボタンカバー２５６は、突出位置から収容位置までの収容方向の移動が自重によりなされる場合があり、この場合においても、ボタンカバー２５６がガイド部材２６０にガイドされるので、速やかに収容位置に復帰することができ、ボタンカバー２５６のみが中途半端に突出したままになることがない。
【００３５】
なお、ボタンカバー２５６の突起部２５６ｂと、ガイド部材２６０の係止部２６０ｂとは、ボタンカバー２５６の動作方向に一部が対向する寸法関係を維持している。これにより、ボタンカバー２５６の突出位置において、突起部２５６ｂが係止部２６０ｂに係止され、ボタンカバー２５６が本体部２１０から抜け出てしまうのを防止することができる。
【００３６】
ここで、上記したように、演出操作ユニット２００には、把持部２２０に対する回転操作や、可動ボタン２５４に対する押下操作の入力により、大きな外力が作用する。そのため、演出操作ユニット２００は、扉体６に、強固に固定、支持されていなければならない。一方で、演出操作ユニット２００は、把持部２２０や本体部２１０が回転したり、可動ボタン２５４が本体部２１０から出没したりする等、さまざまに可動する上に、上記のように大きな外力が作用することから、故障が発生しやすい。したがって、演出操作ユニット２００は、故障発生時に速やかに修理、交換ができるように、扉体６に対する取り付け作業および取り外し作業が容易にできることが望ましい。そこで、本実施形態では、演出操作ユニット２００を次のように扉体６に固定している。
【００３７】
図６は、固定板金３００の位置と形状を説明する図である。なお、図６（ａ）においては、扉体６の前面に設けられる受皿ユニット１００のうち、下皿１０４が形成される下部突出部１１０のみを示しており、上皿１０２および支持部１０６を省略している。図６（ａ）に示すように、受皿ユニット１００は、遊技機１の最下部において正面側に突出する下部突出部１１０を備えている。この下部突出部１１０は、遊技機１の幅方向に所定の長さを有しており、遊技機１に正対して左側の略半分の範囲に亘って、上記の下皿１０４が形成されている。この下皿１０４は、遊技球が貯留できるように周囲が囲繞されており、底面が他の部位よりも低く形成されている。そして、この下皿１０４に隣接する位置に、固定板金３００が固定されている。この固定板金３００は、支持部１０６に形成される貫通孔１０６ａの延長線上に位置し（図３参照）、貫通孔１０６ａに挿入された演出操作ユニット２００のうち、固定部２３０の底面部２３０ｂが着座する。
【００３８】
図６（ｂ）に示すように、固定板金３００は、金属製の板金を略Ｌ字形状に屈曲して構成されており、扉体６の底面側に臨む、Ｘ−Ｙ平面と平行な第１固定面３０２と、扉体６の背面側に臨む、Ｘ−Ｚ平面と平行な第２固定面３０４と、を有している。第１固定面３０２は、段差を有しており、相対的に上方に位置する上段面３０２ａと、この上段面３０２ａよりも下方に位置する下段面３０２ｂと、を備えている。受皿ユニット１００の下部突出部１１０には、固定板金３００の第１固定面３０２と一致する段差面が形成されており、この段差面によって、下部突出部１１０と第１固定面３０２とが面接触した状態となっている。また、第２固定面３０４は、扉体６の前面に設けられる所定の部品（図６（ａ）では図示を省略）と面接触している。第１固定面３０２および第２固定面３０４は、下部突出部１１０や他の部品にねじ止めにより固定されている。
【００３９】
また、固定板金３００の第１固定面３０２および第２固定面３０４には、挿通孔３０６が形成されている。ここでは、第１固定面３０２に２つの挿通孔３０６が形成されており、第２固定面３０４に４つの挿通孔３０６が形成されている。
【００４０】
図７は、演出操作ユニット２００および扉体６の固定構造を説明する図であり、固定板金３００の挿通孔３０６が位置する部分の断面図である。図７に示すように、演出操作ユニット２００は、把持部２２０を貫通孔１０６ａから突出させた状態で、本体部２１０が貫通孔１０６ａに挿通されて支持部１０６に支持されている。このとき、貫通孔１０６ａに本体部２１０が挿通された状態では、演出操作ユニット２００における固定部２３０の底面部２３０ｂが固定板金３００に着座する。具体的には、固定部２３０の底面部２３０ｂは略直角に屈曲しており、演出操作ユニット２００は、固定板金３００の第１固定面３０２および第２固定面３０４の双方に面接触した状態となる。そして、固定部２３０の底面部２３０ｂには、演出操作ユニット２００が第１固定面３０２および第２固定面３０４の双方に面接触した状態において、固定板金３００に形成された挿通孔３０６に対向するネジ穴Ｎ（固定孔）が複数形成されている。
【００４１】
一方、扉体６および下部突出部１１０には、それぞれ固定板金３００の挿通孔３０６、および、演出操作ユニット２００の底面部２３０ｂに形成されたネジ穴Ｎの双方に対向する位置に、対向孔Ｈが貫通形成されている。
【００４２】
図８は、扉体６の底面を示す下面図であり、図８（ａ）では、扉体６の底面の全体図を示し、図８（ｂ）は、図８（ａ）の破線部分の拡大図を示す。また、図９は、扉体６の背面を示す背面図であり、図９（ａ）では、扉体６の背面下部を示し、図９（ｂ）は、図９（ａ）の破線部分の拡大図を示す。図８に示すように、扉体６の底面すなわち下部突出部１１０の底面に形成された対向孔Ｈは、扉体６（受皿ユニット１００）の下方に露出している。また、図９に示すように、扉体６の背面に形成された対向孔Ｈは、扉体６の背面に露出している。演出操作ユニット２００を扉体６に取り付ける際には、扉体６（受皿ユニット１００）の底面側（下方）、および、扉体６の背面側から、それぞれ対向孔Ｈおよび挿通孔３０６に挿通されたネジ（固定手段）が、ネジ穴Ｎに螺合（固定）させる。これにより、演出操作ユニット２００は、ネジの締結力で、固定板金３００を介して扉体６に固定されることとなる。
【００４３】
このように、演出操作ユニット２００の底部が、固定板金３００を介して扉体６に固定されるので、演出操作ユニット２００と扉体６との強固な固定が実現される。特に、演出操作ユニット２００には、遊技者の操作に伴う大きな外力が入力されるが、固定板金３００を介しているため、扉体６に作用する衝撃が緩和され、扉体６の損傷を防止することができる。
【００４４】
また、演出操作ユニット２００には可動ボタン２５４が設けられており、この可動ボタン２５４の押下方向が、鉛直方向および水平方向に対して傾きを有している。そのため、演出操作ユニット２００には、上端側（可動ボタン２５４側）から底部側（固定部２３０側）に押し込み力が作用する。本実施形態では、演出操作ユニット２００の底部が、第１固定面３０２および第２固定面３０４といった、固定板金３００のうちの、互いに向きを異ならせた２つの面で固定されているので、押し込み力が分散して扉体６に作用する。このように、扉体６には、演出操作ユニット２００に入力される外力が広範囲に分散されて作用するので、扉体６をより一層損傷しにくくすることができる。
【００４５】
さらに、本実施形態によれば、扉体６（下部突出部１１０）に設けられた対向孔Ｈは、扉体６の底面側および背面側に露出している。したがって、他の部品を取り外すことなく、直接、ネジを着脱することが可能であり、演出操作ユニット２００を扉体６に対して容易に着脱することができる。
【００４６】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４７】
また、上記実施形態では、演出操作ユニット２００の把持部２２０が固定部２３０よりも鉛直方向において上方、かつ、水平方向において扉体６に正対する遊技者側に位置して扉体６に固定された場合を示したが、これに限定されるものではない。例えば、演出操作ユニット２００の把持部２２０が固定部２３０よりも鉛直方向において下方、かつ、水平方向において扉体６に正対する遊技者側に位置していて、ボタンカバー２５６の収容位置から突出位置までの突出方向の移動が自重によりなされるようにしてもよい。
【００４８】
上記実施形態では、扉体６に受皿ユニット１００が設けられ、この受皿ユニット１００に演出操作ユニット２００が支持されることとしたが、受皿ユニット１００は必須ではなく、演出操作ユニット２００は、扉体６のいずれに支持されてもよい。
【００４９】
また、上記実施形態では、演出操作ユニット２００の本体部２１０が挿通される貫通孔１０６ａの中心軸が鉛直方向に対して傾斜している場合について説明したが、貫通孔１０６ａは、中心軸が鉛直方向に平行であってもよい。
【００５０】
また、上記実施形態では、本体部２１０および固定部２３０によって本発明の演出操作ユニット２００の本体が構成されることとしたが、演出操作ユニット２００の本体の構成は上記実施形態に限定されるものではない。いずれにしても、本発明の演出操作ユニットは、支持部の貫通孔に挿通される本体、および、本体に設けられ遊技者の操作を受け付ける操作部を有し、操作部を貫通孔の一端から突出させて支持部に支持される構成であればよい。
【００５１】
また、上記実施形態では、演出操作ユニット２００がネジによって扉体６に固定されることとしたが、演出操作ユニット２００を固定する固定手段はネジに限らず、例えば、釘や接着剤であってもよい。
【００５２】
また、上記実施形態では、扉体６の底面側および背面側の双方から固定手段を着脱することとしたが、扉体６の底面側および背面側のいずれか一方にのみ固定手段を設け、底面側および背面側のいずれか一方からのみ着脱できる構成としてもよい。
【産業上の利用可能性】
【００５３】
本発明は、演出操作ユニットを備えた遊技機に利用することができる。
【符号の説明】
【００５４】
１  遊技機
６  扉体
１００  受皿ユニット
１０２  上皿（受皿）
１０４  下皿（受皿）
１０６  支持部
１０６ａ  貫通孔
２００  演出操作ユニット
２２０  把持部（操作部）
２５０  ボタンユニット（操作部）
３００  固定板金
３０２  第１固定面
３０４  第２固定面
【図１】
0006466141.tif 000002
【図２】
0006466141.tif 000003
【図３】
0006466141.tif 000004
【図４】
0006466141.tif 000005
【図５】
0006466141.tif 000006
【図６】
0006466141.tif 000007
【図７】
0006466141.tif 000008
【図８】
0006466141.tif 000009
【図９】
0006466141.tif 000010